(57)【特許請求の範囲】
【請求項１】
所定のプッシャー機構によって固定テーブル上に載置された多数の景品が玉突き状態となって移動させられ、当該固定テーブルから押し出されて景品落下口に落下した当該景品を払い出すプッシャー型の遊戯装置であって、
前記景品より大きい大型景品を、前記固定テーブルの端部と当該配置補助部材とに掛け渡すように配置するための配置補助部材を、前記固定テーブルの載置面と同程度の高さで、且つ、前記景品落下口の開口部を挟んだ前記固定テーブルと反対側の位置に掛け渡して或いは張り出すように設け、
前記玉突き状態によって移動した景品が前記大型景品にぶつかることで、当該大型景品の配置位置がずれて前記景品落下口に落下する遊戯装置。
【請求項２】
請求項１に記載の遊戯装置であって、
前記配置補助部材が、前記固定テーブル方向への張り出し量を調整可能に設けられている遊戯装置。
【発明の詳細な説明】
【技術分野】
【０００１】
本発明は、プッシャー型の遊戯装置に関する。
【背景技術】
【０００２】
プッシャー型の景品払出ゲーム機と称される遊戯装置がある。プッシャー型の景品払出ゲーム機は、回転するターンテーブル上に配置された景品を掬い上げるショベルと、固定テーブルと、固定テーブル上を景品落下口に近づき或いは遠ざかるように移動するスライドテーブルとを備えている。プレーヤが始動指示を入力すると、ショベルが自動的にターンテーブルから景品を掬い上げ、次いでプレーヤが落下指示を入力すると、ショベルは掬い上げた景品を固定テーブルの上に落下させる。固定テーブルに落とされた景品は、スライドテーブルによって押されることで玉突き状態となり、やがて固定テーブルから落下する。落下した景品が上手く景品落下口に入れば、プレーヤはその景品を獲得できる構成となっている。こうしたプッシャー型の景品払出ゲーム機は、ルールが解り易く誰でもが楽しめるゲームとして、特に女性や子供に人気がある。
【０００３】
プッシャー型の景品払出ゲーム機の中には、固定テーブルの側端部に沿った軸部材により軸支された板状の保持テーブルを備えたものが知られている。保持テーブルは、水平に支持された状態では、固定テーブルの上面と一体となって略同一平面を形成するようになっており、固定テーブル上で側方に向かって移動した景品をターンテーブルに落下しないように保持しておくことができる。そして、所定のタイミングで保持テーブルを起立させることで、保持テーブル上に保持されていた景品を再度固定テーブル上に戻し、プレーヤが景品を獲得できるチャンスが増えるようになっている。このように、固定テーブルから側方に落ちそうになった景品を保持テーブルで保持し、再度固定テーブルに戻す構成とすることで、ゲーム性を高め、プレーヤの遊戯意欲を高めることができる（例えば、特許文献１参照）。
【特許文献１】特開２００３−３１５０３号公報
【発明の開示】
【発明が解決しようとする課題】
【０００４】
また、プレーヤの遊戯意欲を高める他の手法として、固定テーブル上に、比較的大きな例えば箱型の景品をタワー状に高く積み上げる演出が一般的に行われていた。この場合、固定テーブル上の景品の積み上げを崩すことで、崩れた景品が雪崩を打って景品落下口に落下し、容易に獲得できるのではないかとプレーヤに思わせる効果が期待される。こういった具合に、プッシャー型の遊戯装置では、プレーヤの遊戯意欲を高めるための新たな演出が常に求められている。
【０００５】
本発明は上記事情に鑑みて為されたものであり、その目的とするところは、プッシャー型の遊戯装置において、プレーヤの遊戯意欲を高めるような新たな演出を実現することである。
【課題を解決するための手段】
【０００６】
上記課題を解決するための第１の発明は、
固定テーブルから押し出されて景品落下口に落下した景品を払い出すプッシャー型の遊戯装置（例えば、図１の遊戯装置１）であって、
前記景品落下口への景品の配置を補助する配置補助部材（例えば、図３，４の支持棒１１０Ａ，１１０Ｂ、支持板１２０Ａ，１２０Ｂ）が前記景品落下口の開口部に掛け渡して又は張り出して設けられた遊戯装置である。
【０００７】
この第１の発明によれば、プッシャー型の遊戯装置において、景品落下口への景品の配置を補助する配置補助部材が、景品落下口の開口部に掛け渡して又は張り出して設けられている。これにより、従来、配置が困難であった景品落下口に景品を配置することができる。そして、この景品落下口に配置された景品に、固定テーブルから押し出された景品或いは落下した景品がぶつかり、容易に落下し獲得できるかのような印象をプレーヤに与え、遊戯意欲を高めることが可能となる。また、従来、配置が困難であった景品落下口に景品が配置されているといった、見た目のインパクトをプレーヤに与えることができる。更に、配置補助部材の形状や大きさ、位置によっては、配置されている景品が落下し易そうに見えるけれども、実際には引っかかって落下しにくいといった調整を施すことも可能である。
【０００８】
第２の発明は、第１の発明の遊戯装置であって、
前記配置補助部材が、前記開口部の前記固定テーブル寄りの位置に掛け渡して或いは張り出して設けられている遊戯装置である。
【０００９】
この第２の発明によれば、配置補助部材は、景品落下口の開口部の固定テーブル寄りの位置に設けられる。つまり、景品を、景品落下口の固定テーブル寄りの位置に配置することができる。これにより、景品落下口に配置されている景品に固定テーブルから景品落下口に向かって落下する景品がぶつかり、容易に落下するかのような印象をプレーヤに与えることが可能となる。
【００１０】
第３の発明は、第１の発明の遊戯装置であって、
前記配置補助部材が、前記開口部の前記固定テーブルと反対側の位置に掛け渡して或いは張り出して設けられている遊戯装置である。
【００１１】
この第３の発明によれば、配置補助部材は、景品落下口の開口部の固定テーブルの反対側の位置に設けられる。これにより、例えば、景品の両端部それぞれを固定テーブルの端部及び配置補助部材の上面に置いて、当該景品を景品落下口に配置することができる。このとき、景品は、端部が補助部材に置かれて配置されているため、固定テーブルから落下してきた景品がぶつかることで容易にバランスを崩し、そのまま景品落下口に落下しそうに思わせる演出が可能となる。また、配置補助部材は固定テーブルの反対側の位置に設けられているので、固定テーブルからの景品の落下口への落下を妨げない。
【００１２】
第４の発明は、第１〜第３の何れかの発明の遊戯装置であって、
前記配置補助部材は、前記固定テーブルの載置面と同程度の高さに設置されている遊戯装置である。
【００１３】
この第４の発明によれば、配置補助部材は、固定テーブルの載置面と同程度の高さに設置される。つまり、例えば配置補助部材の上面に景品を置く場合、固定テーブルの載置面と同程度の高さの位置、或いはやや高い位置に景品を配置することができる。これにより、配置されている景品に固定テーブルから落下してきた景品が略水平方向からぶつかって、容易に景品落下口に落下しそうな印象をプレーヤに与えることが可能となる。また、景品の両端部を固定テーブル及び配置補助部材の上面に置いて当該景品を略水平に配置することもできる。この場合にも、固定テーブル上で景品の端部が押されることで、当該景品が容易に景品落下口に落下しそうな印象を与えることが可能となる。
【００１４】
第５の発明は、第１〜第４の何れかの発明の遊戯装置であって、
前記配置補助部材が、張り出し量を調整可能に前記開口部に張り出して設けられている遊戯装置である。
【００１５】
この第５の発明によれば、配置補助部材は、張り出し量が調整可能に張り出して設けられる。これにより、例えば、配置したい景品の大きさに応じて配置補助部材の張り出し量を調整し、プレーヤに与える落下し易さの印象、或いは実際の落下し易さを適当に設定した景品の配置が可能となる。
【００１６】
第６の発明は、第１〜第５の何れかの発明の遊戯装置であって、
前記景品落下口に落下した景品を払い出す払出通路の前記景品落下口側の開口を全閉する全閉位置と当該開口を全開する全開位置との間を遷移可能な開閉板（例えば、図３の開閉板６４）を備え、
前記配置補助部材は、前記全閉位置に位置した際の前記開閉板より高い位置に設けられている遊戯装置である。
【００１７】
この第６の発明によれば、配置補助部材は、景品落下口の開口の全閉位置に位置した際の開閉板より高い位置に設けられている。これにより、配置補助部材や配置補助部材により配置された景品が、開閉板の遷移を妨げることがない。
【００１８】
第７の発明は、第１〜第６の何れかの発明の遊戯装置であって、
前記配置補助部材は透明部材である遊戯装置である。
【００１９】
この第７の発明によれば、配置補助部材は透明部材である。これにより、配置補助部材に補助されて配置された景品が、あたかも、景品落下口の上方に浮いているかのような見た目のインパクトが大きい演出が可能となるとともに、その景品を容易に獲得できそうな印象をプレーヤに与えることができる。
【００２０】
第８の発明は、第１〜第７の何れかの発明の遊戯装置であって、
前記配置補助部材は、少なくとも上面が曲面である遊戯装置である。
【００２１】
この第８の発明によれば、配置補助部材の上面が曲面である。これにより、例えば、配置補助部材の上面に景品をおいて配置する場合、景品の配置が不安定となり、その景品を容易に獲得できそうな印象をプレーヤに与えることができる。
【発明を実施するための最良の形態】
【００２２】
以下、図面を参照して、本発明の好適な実施形態を説明する。
【００２３】
［遊戯装置］
図１は、本実施形態における遊戯装置１の外観図であり、図２は、図１のＡ−Ａ´矢視断面図である。この遊戯装置１は、いわゆるプッシャー型と呼ばれ、主にゲームセンタ等の店舗に設置される業務用の遊戯装置である。
【００２４】
図１，２によれば、遊戯装置１は、主に、多数の景品Ｐを配置するターンテーブル１０と、ターンテーブル１０上に配置された景品Ｐを掬い上げる掬い上げ装置２０と、掬い上げ装置２０の操作スイッチ２２と、掬い上げ装置２０により掬い上げた景品Ｐを載置し、押し出して景品落下口６１に落下させるプッシャーテーブル部３０と、所定の条件が達成されたときにボーナス用の景品Ｐを払い出す景品払出装置４０と、遊戯装置１を統合的に制御する制御装置５０とを備えて構成される。遊戯装置１の筐体側面上部は透明なアクリル板で形成された透明カバー６５で覆われ、遊戯装置１内部を視認可能に構成されている。
【００２５】
また、遊戯装置１は、平面視略六角形の形状をなしており、略六角形の各辺でプレーヤが遊ぶためのステーションＳＴが６つ備えられている。ステーションＳＴ毎に、掬い上げ装置２０と、操作スイッチ２２と、プッシャーテーブル部３０と、景品払出装置４０と、景品落下口６１に連通して景品Ｐを取り出すための景品払出口６２とが備えられており、６人のプレーヤが各ステーションＳＴにおいて同時にプレイを楽しむことができる。
【００２６】
ここで、以下の説明における方向を次のように定める。即ち、上下左右方向を図１に向かって上下左右の方向とし、また、奥行き方向は、各ステーションＳＴから遊戯装置１の中心に向かって前後（手前／奥）の方向とする。即ち、各ステーションＳＴでプレイするプレーヤの視点に立った上下左右及び前後の方向とする。
【００２７】
ターンテーブル１０は、上向きに開口する環状溝を形成して有し、溝部分の底上面に多数の景品Ｐを配置するように構成されている。そして、ターンテーブル１０は、遊戯装置１の略中心を軸中心として、遊戯装置１内を一定方向にゆっくりと回転する。
【００２８】
掬い上げ装置２０は、２本のショベルアームと、景品Ｐを掬い上げ可能な曲面をなすショベルとを有して構成され、２本のショベルアームとショベルとによって所定のリンク機構が形成されている。そして、操作スイッチ２２からの操作信号に応じてショベルアームを駆動し、ショベルでターンテーブル１０上の景品を掬い上げ、掬い上げた景品Ｐをプッシャーテーブル部３０上に落下させるといった一連の掬い上げ動作を、制御装置５０による制御に従って実行する。
【００２９】
プッシャーテーブル部３０は、固定テーブル３１と、スライドテーブル３２とを有する。固定テーブル３１は、ターンテーブル１０の上方において装置中央から外方に向けて延出する平板であり、その前端部は景品落下口６１の上方に達している。スライドテーブル３２は、固定テーブル３１の上面に沿って前後方向に往復スライド移動する平板である。スライドテーブル３２の往復スライド運動により、スライドテーブル３２の前面に押されて固定テーブル３１上に載置されている景品Ｐが移動する。固定テーブル３１上に載置されている景品Ｐの密度が高いと、景品Ｐが玉突き状態となって固定テーブル３１の前端部から景品Ｐが景品落下口６１に落下し、景品払出口６２から景品Ｐが払い出される。一方、固定テーブル３１上に載置されている景品Ｐの密度が低いと、固定テーブル３１上の隙間を埋めるように景品Ｐが移動することとなる。
【００３０】
景品払出装置４０は、ボーナス用の景品Ｐが予め収納される景品ボックス４１と、景品ボックス４１を一端部で支持するボックスアーム４２とを有して構成されている。景品払出装置４０は、ボックスアーム４２が他端部を軸中心として回転することで、景品ボックス４１の位置を変更可能となっている。景品払出装置４０は、通常は、ボックスアームが起立して景品ボックスが装置中央に位置している状態にある。そして、所定のＪＰ（ジャックポット）条件が達成されると、ボックスアームが手前側（プレーヤ側）に傾斜し、景品ボックス内に収納されている景品が下方の景品落下口６１に向かって落下するようになっている。
【００３１】
図３は、図２のＢ−Ｂ´矢視要部断面図であり、図４は、景品落下口６１近傍の要部平面図である。図３，４によれば、景品落下口６１の左右側部を成すターンテーブル１０の周縁部６６は、上面が手前側から奥側に向けて下向きに傾斜しており、この上面に落下した景品Ｐをターンテーブル１０上に復帰させるようになっている。
【００３２】
また、景品落下口６１は、筐体側面下部に形成された景品払出口６２と、払出通路６３で連通しており、固定テーブル３１から景品落下口に落下した景品は、払出通路６３を通じて景品払出口６２から払い出される。
【００３３】
払出通路６３内には、開閉板６４が設けられている。開閉板６４は、景品落下口６１の手前側で軸方向が水平な軸６４ａによって一端が回動自在に軸支されており、景品落下口６１の開口を完全に塞ぐ位置である全閉位置（図３中、実線で示す位置）と、景品落下口６１の開口が完全に開いた位置である全開位置（図３中、点線で示す位置）との間を遷移可能に配置されている。また、開閉板６４は、通常では全閉位置に在り、プレーヤによりコインが投入される等してゲームが開始されると、全開位置に移動して景品落下口６１の開口を全開させ、景品落下口６１に落下した景品が景品払出口６２から払い出されるようになっている。
【００３４】
［景品配置補助部材］
本実施形態の特徴として、景品落下口６１には、当該景品落下口６１における景品Ｐの配置を補助するための配置補助部材である２本の支持棒１１０Ａ，１１０Ｂ、及び２枚の支持板１２０Ａ，１２０Ｂが設置されている。
【００３５】
支持棒１１０Ａ，１１０Ｂは、断面が略正方形状の細長い角柱であり、長手方向の長さが景品落下口６１の幅方向（左右方向）の長さにほぼ等しく形成されている。そして、支持棒１１０Ａ，１１０Ｂは、長手方向を景品落下口６１の幅方向に沿って、景品落下口６１に掛け渡されている。即ち、長手方向を水平にして、両端部が景品落下口６１の左右それぞれの内壁にねじ止めされている。詳細には、支持棒１１０Ａは、景品落下口６１の手前側（プレーヤ側）であって、固定テーブル３１の上面の高さとほぼ同じ位置に設置されている。支持棒１１０Ｂは、景品落下口６１の奥側（固定テーブル３１寄り）であって、固定テーブル３１の前面より手前側且つやや低い位置に設置されている。
【００３６】
また、支持棒１１０Ａの上面には２枚の支持板１２０Ａ，１２０Ｂが略水平に取り付けられている。つまり、支持板１２０Ａ，１２０Ｂが、手前側から景品落下口６１の内方に向けて張り出して設置されている。
【００３７】
図５は、支持棒１１０Ａへの支持板１２０Ａ，１２０Ｂの取り付けを説明するための分解斜視図である。同図に示すように、支持棒１１０Ａの上面には、両端部寄りの位置に２つのねじ孔１１２ａ，１１２ｂが形成されている。支持板１２０Ａ，１２０Ｂは、略長方形状の透明なアクリル板である。また、支持板１２０Ａ、１２０Ｂには、それぞれ、長手方向に長孔１２１が形成されている。
【００３８】
そして、上方から支持板１２０Ａの長孔１２１にねじ１２３ａが挿通され、更にこのねじ１２３ａが支持棒１１０Ａのねじ孔１１２ａにねじ込まれることで、支持棒１１０Ａの上面に支持板１２０Ａが取り付けられる。また、上方から支持板１２０Ｂの長孔１２１にねじ１２３ｂが挿通され、更にこのねじ１２３ｂが支持棒１１０Ａのねじ孔１１２ｂにねじ込まれることで、支持棒１１０Ａの上面に支持板１２０Ｂが取り付けられる。
【００３９】
ところで、支持棒１１０Ａは、固定テーブル３１の上面の高さとほぼ同じ位置に設置されるため、支持板１２０Ａ，１２０Ｂの高さは、固定テーブル３１の上面とほぼ同じ或いは僅かに高くなっている。
【００４０】
また、支持板１２０Ａ，１２０Ｂを長孔１２１のどの位置でどの角度でねじ止めするかによって、支持棒１１０Ａに対する支持板１２０Ａ，１２０Ｂそれぞれの取り付け位置を変更し、支持板１２０Ａ，１２０Ｂの景品落下口６１への張り出し量を調整することができる。
【００４１】
例えば、図６（ａ）は、支持板１２０Ａ，１２０Ｂを、長孔１２１が支持棒１１０Ａの長手方向と垂直な方向に支持棒１１０Ａに取り付けた場合である。この場合、支持板１２０Ａ，１２０Ｂは、実線で示す最も奥側の位置と、二点鎖線で示す最も手前側の位置との間で取り付け位置を変更可能である。また、同図（ｂ）に示すように、ねじ止め位置を軸中心として水平方向に回転させることで、任意の向きで支持棒１１０Ａに支持板１２０Ａ，１２０Ｂを取り付けることができる。
【００４２】
図７は、配置補助部材を用いた景品落下口６１上方における景品Ｐの配置例を示す図である。同図（ａ）は、景品落下口６１近傍の要部平面図であり、同図（ｂ）は、同図（ａ）のＣ−Ｃ´矢視要部断面図である。また、同図は、比較的大きな直方体形状の２つの景品Ｐ１，Ｐ２が配置された状態を示している。
【００４３】
同図によれば、景品Ｐ１は、一方の端部が支持板１２０Ａの端部に支持されているとともに、他方の端部が固定テーブル３１の前端部に支持されて、景品落下口６１の左側に配置されている。また、景品Ｐ２は、一方の端部が支持板１２０Ｂの端部に支持されているとともに、他方の端部が固定テーブル３１の前端部に支持されて、景品落下口６１の右側に配置されている。ここで、支持板１２０Ａ，１２０Ｂは、固定テーブル３１の上面とほぼ同じ高さの位置に取り付けられている。このため、景品Ｐ１，Ｐ２は、景品落下口６１の上方において略水平に配置されている。
【００４４】
［作用・効果］
以上、本実施形態によれば、支持棒１１０Ａ，１１０Ｂ、及び支持板１２０Ａ，１２０Ｂにより、従来、配置が困難であった景品落下口６１に景品Ｐを配置することができる。固定テーブル３１から押し出された景品或いは景品落下口６１に落下する景品が支持棒１１０Ａ，１１０Ｂや支持板１２０Ａ，１２０Ｂに補助されて配置されている景品Ｐにぶつかると、景品Ｐの配置位置がずれて移動する。支持棒１１０Ａ，１１０Ｂや支持板１２０Ａ，１２０Ｂの補助位置がずれる程度移動すると、景品Ｐがバランスを崩して落下することとなる。即ち、景品Ｐは、支持棒１１０Ａ，１１０Ｂや支持板１２０Ａ，１２０Ｂによってようやくその位置に留まっているため、容易に落下し獲得できるかのような印象をプレーヤに与え得る演出が可能となる。また、従来、配置が困難であった景品落下口６１或いはその上方に景品Ｐが配置されていることや、景品Ｐが目前に配置されているといった、見た目のインパクトをプレーヤに与えることが可能となる。更に、支持板１２０Ａ，１２０Ｂが透明なアクリル板であることにより、あたかも、景品Ｐが景品落下口６１の上方に浮いているかのような演出が実現できる。
【００４５】
［変形例］
尚、本発明の適用可能な実施形態は、上述した実施形態に限定されることなく、本発明の趣旨を逸脱しない範囲で適宜変更可能である。
【００４６】
（Ａ）支持棒１１０Ａ，１１０Ｂの設置位置
例えば、上述した実施形態では、支持棒１１０Ａ，１１０Ｂは長手方向を景品落下口６１の幅方向に沿って掛け渡して設置されることとしたが、これに限らない。
【００４７】
例えば、図８（ａ）は、支持棒の長手方向を奥行き方向に沿って配置した例を示す図であり、景品落下口６１近傍の要部平面図である。同図によれば、景品落下口６１の奥行き方向に沿って支持棒１１０Ｃが設置されている。支持棒１１０Ｃは、長手方向の長さが景品落下口６１の奥行き方向の幅（長さ）よりも短く、一端部が固定テーブル３１の下方に固定されて設置されている。即ち、支持棒１１０Ｃは、景品落下口６１に、固定テーブル３１側から手前側に張り出して設けられている。
【００４８】
また、同図（ｂ）に示すように、景品落下口６１の幅方向に沿って設置された２本の支持棒１１０Ａ，１１０Ｂに加え、支持棒１１０Ｃを景品落下口６１の奥行き方向に沿って設置することとしても良い。このとき、支持棒１１０Ａ，１１０Ｂの設置位置の高さに違いがある。そこで、支持棒１１０Ｃの一端部を、支持棒１１０Ｂの上方であって固定テーブル３１の下方に固定し、他端部を上方に向けて屈曲させることで、支持棒１１０Ｃが支持棒１１０Ａ，１１０Ｂの上方に位置するように設置する。或いは、手前側が高くなるように傾斜させて設置することで、支持棒１１０Ｃを支持棒１１０Ａ，１１０Ｂの上方に位置するように設置することとしても良い。また、同図においては、支持棒１１０Ｃの一端部を固定テーブル３１の下方に固定することとしたが、固定テーブル３１の前面に固定して、固定テーブル３１の前面の一部が手前側に延出しているかのように設けても良い。
【００４９】
（Ｂ）支持棒の断面形状
また、上述した実施形態では、支持棒１１０Ａ，１１０Ｂの断面を略正方形状としたが、他の形状としても良い。
【００５０】
例えば、図９は、支持棒の断面を半円形状とした場合を示す図であり、ステーションＳＴの要部垂直断面図である。同図によれば、景品落下口６１の奥側（固定テーブル３１側）に、断面が半円形状の支持棒１１０Ｄが、曲面を上方に向けて設置されている。この場合、曲面である支持棒１１０Ｄの上面に景品Ｐを置いて配置することで、この景品Ｐの配置が不安定となり、景品落下口６１に容易に落下しそうな印象をプレーヤに与えることが可能となる。
【００５１】
（Ｃ）支持棒の形状
また、上述した実施形態では、支持棒は柱状物体であるとしたが、細長い板状体としても良い。この場合、平面が略水平になるように、景品落下口６１に掛け渡して、或いは張り出すようにして設置する。
【図面の簡単な説明】
【００５２】
【図１】遊戯装置の外観図。
【図２】遊戯装置の概略平面図。
【図３】ステーションの概略垂直断面図。
【図４】景品落下口近傍の概略正面図。
【図５】支持棒に対する支持板の取り付けを説明する分解斜視図。
【図６】支持板の取り付け位置が変更可能であることの説明図。
【図７】支持棒及び支持板を用いた景品落下口への景品の配置例。
【図８】支持棒を奥行き方向に沿って設置した例。
【図９】支持棒を断面半円形状とした例。
【符号の説明】
【００５３】
１  遊戯装置
１０  ターンテーブル
２０  掬い上げ装置
３０  プッシャーテーブル部
３１  固定テーブル
３２  スライドテーブル
４０  景品払出装置
６１  景品落下口
６２  景品払出口
６３  払出通路
６４  開閉板
１１０Ａ，１１０Ｂ  支持棒
１２０Ａ，１２０Ｂ  支持板
【図１】
0004551341.tif 000002
【図２】
0004551341.tif 000003
【図３】
0004551341.tif 000004
【図４】
0004551341.tif 000005
【図５】
0004551341.tif 000006
【図６】
0004551341.tif 000007
【図７】
0004551341.tif 000008
【図８】
0004551341.tif 000009
【図９】
0004551341.tif 000010